(57)【要約】【課題】電線分岐部の大きさに関わらず電線分岐部を保護でき、しかも、極力コンパクト化が図れる分岐プロテクタ、及び、これを用いたワイヤーハーネスを提供する。【解決手段】電線分岐部ＷＤの枝線Ｗ２が引き出される切欠部４，２４を有し、且つ、電線分岐部ＷＤの幹線Ｗ１に巻き付けられ、両端より電線分岐部ＷＤの幹線Ｗ１が引き出される可撓性のプロテクタシート２Ａと、プロテクタシート２Ａに重ね合せた状態で電線分岐部ＷＤを被う補強プロテクタ部材２１と、プロテクタシート２Ａと補強プロテクタ部材２１の両端にそれぞれ設けられ、引き出された幹線Ｗ１の配策方向にそれぞれ突出するテープ巻き用突出部６，２６とを備えた。【選択図】図２０
2019017198.tif 000002
【特許請求の範囲】
【請求項１】
電線分岐部の枝線が引き出される切欠部を有し、且つ、前記電線分岐部の幹線に巻き付けられ、両端より前記電線分岐部の前記幹線が引き出される可撓性のプロテクタシートと、
前記プロテクタシートに重ね合せた状態で前記電線分岐部を被う補強プロテクタ部材と、
前記プロテクタシートと前記補強プロテクタ部材の両端にそれぞれ設けられ、引き出された前記幹線の配策方向にそれぞれ突出するテープ巻き用突出部とを備えたことを特徴とする分岐プロテクタ。
【請求項２】
請求項１記載の分岐プロテクタであって、
前記プロテクタシートの両端の巻き付け形状と、前記補強プロテクタ部材の両端形状とによって形成され、前記幹線がそれぞれ引き出される２つの幹線引出口と、
前記プロテクタシートの前記切欠部と、前記補強プロテクタの切欠部によって形成され、前記枝線が引き出される枝線引出口とを備えたことを特徴とする分岐プロテクタ。
【請求項３】
請求項１又は請求項２記載の分岐プロテクタであって、
前記プロテクタシートは、前記切欠部を間に挟んで配置される一対の帯状シート部を有し、
前記電線分岐部の前記枝線の両外側で前記幹線の全周に亘ってそれぞれ巻き付けられていることを特徴とする分岐プロテクタ。
【請求項４】
請求項３記載の分岐プロテクタであって、
前記各帯状シート部は、巻き付け先端側が前記プロテクタシートに重ね巻きされていることを特徴とする分岐プロテクタ。
【請求項５】
請求項１〜請求項４のいずれかに記載の分岐プロテクタであって、
前記プロテクタシートより延設され、引き出された前記枝線の配策方向に突出するテープ巻き用突出部とを備えたことを特徴とする分岐プロテクタ。
【請求項６】
請求項１〜請求項５のいずれかに記載の分岐プロテクタであって、
前記プロテクタシートは、蛇腹形状に形成されていることを特徴とする分岐プロテクタ。
【請求項７】
請求項１〜請求項６のいずれかに記載の分岐プロテクタであって、
前記テープ巻き用突出部は、蛇腹形状に形成されていることを特徴とする分岐プロテクタ。
【請求項８】
請求項１〜請求項７のいずれかに記載の分岐プロテクタであって、
前記テープ巻き用突出部は、可撓性のロッドであることを特徴とする分岐プロテクタ。
【請求項９】
請求項１〜請求項８のいずれかに記載の分岐プロテクタであって、
前記プロテクタシートには、車体用固定部が設けられていることを特徴とする分岐プロテクタ。
【請求項１０】
請求項１〜請求項９のいずれかに記載の分岐プロテクタであって、
前記補強プロテクタ部材は、前記プロテクタシートとは別体の可撓性の補強プロテクタプレートであることを特徴とする分岐プロテクタ。
【請求項１１】
請求項１〜請求項９のいずれかに記載の分岐プロテクタであって、
前記補強プロテクタ部材は、円弧形状を有し、円弧形状の形態を維持する剛性を有する補強プロテクタプレートであることを特徴とする分岐プロテクタ。
【請求項１２】
請求項１〜請求項１１のいずれかに記載の分岐プロテクタを備えたことを特徴とするワイヤーハーネス。
【請求項１３】
請求項１２に記載のワイヤーハーネスであって、
前記テープ巻き用突出部と前記幹線、及び、前記テープ巻き用突出部と前記枝線には、拘束テープが一括して巻き付けされていることを特徴とするワイヤーハーネス。
【発明の詳細な説明】
【技術分野】
【０００１】
本発明は、電線分岐部を保護する分岐プロテクタ、及び、これを用いたワイヤーハーネスに関する。
【背景技術】
【０００２】
従来の分岐プロテクタとして、特許文献１に開示されたものが提案されている。この分岐プロテクタ１００は、図３３及び図３４に示すように、電線収容室１０１ａを有する分岐プロテクタ本体１０１と、この分岐プロテクタ本体１０１に装着されるカバー１１０とを有する。
【０００３】
電線収容室１０１ａは、底壁１０２と一対の側壁１０３に囲まれ、上面側が開口された電線収容室１０１ａが形成されている。一対の側壁１０３の両端には、２つの電線引出口１０４が設けられている。一方の側壁１０３の中央位置（側壁１０３の両端の間の位置）には、１つの電線引出口１０５が設けられている。電線収容室１０１ａには、電線Ｗの電線分岐部（図示せず）が収容されている。電線分岐部は、幹線Ｗ１より１本の枝線Ｗ２が分岐されている。これにより、電線分岐部からは、２本の幹線Ｗ１と１本の枝線Ｗ２が異なる方向に延びている。２本の幹線Ｗ１は、両端の電線引出口１０４よりそれぞれ外部に引き出されている。１本の枝線Ｗ２は、中央位置の電線引出口１０５より外部に引き出されている。
【０００４】
カバー１１０は、分岐プロテクタ本体１０１への装着状態で、電線収容室１０１ａの上面を閉塞する。
【０００５】
この従来例では、分岐プロテクタ本体１０１とカバー１１０で覆われる電線収容室１０１ａに電線分岐部が収容することによって、電線分岐部を保護している。
【先行技術文献】
【特許文献】
【０００６】
【特許文献１】特許第５２１７８７３号公報
【発明の概要】
【発明が解決しようとする課題】
【０００７】
しかしながら、前記従来例の分岐プロテクタ１００では、電線収容室１０１ａの収容容量が一定である。そのため、電線分岐部の大きさ（電線径の大小、電線の本数によって変化）が分岐プロテクタ１００の収容容量より小さいと無駄なスペースが電線収容室１０１ａ内に形成されることになる。従って、分岐プロテクタ１００のコンパクト化が図れないという問題があった。
【０００８】
そこで、本発明は、前記した課題を解決すべくなされたものであり、電線分岐部の大きさに関わらず電線分岐部を保護でき、しかも、極力コンパクト化が図れる分岐プロテクタ、及び、これを用いたワイヤーハーネスを提供することを目的とする。
【課題を解決するための手段】
【０００９】
本発明は、電線分岐部の枝線が引き出される切欠部を有し、且つ、電線分岐部の幹線に巻き付けられ、両端より電線分岐部の幹線が引き出される可撓性のプロテクタシートと、プロテクタシートに重ね合せた状態で電線分岐部を被う補強プロテクタ部材と、プロテクタシートと補強プロテクタ部材の両端にそれぞれ設けられ、引き出された幹線の配策方向にそれぞれ突出するテープ巻き用突出部とを備えたことを特徴とする分岐プロテクタである。
【発明の効果】
【００１０】
本発明によれば、電線分岐部にプロテクタシートを巻き付けることで電線分岐部を保護するため、電線分岐部の大きさに関わらず電線分岐部を保護でき、しかも、プロテクタシートが電線分岐部の外面を覆うためにプロテクタシート内に無駄なスペースが出来ない。以上より、電線分岐部の大きさに関わらず電線分岐部を保護でき、しかも、極力コンパクト化が図れる。
【図面の簡単な説明】
【００１１】
【図１】本発明の第１実施形態を示し、展開状態のプロテクタシートの表面側からの斜視図である。
【図２】本発明の第１実施形態を示し、展開状態のプロテクタシートの裏面側からの斜視図である。
【図３】本発明の第１実施形態を示し、プロテクタシート上に電線分岐部を載置した斜視図である。
【図４】本発明の第１実施形態を示し、（ａ）は電線分岐部にプロテクタシートを巻き付けた状態の斜視図、（ｂ）は電線分岐部にプロテクタシートを巻き付けた状態の正面図である。
【図５】本発明の第１実施形態を示し、（ａ）はプロテクタシートと幹線、及び、プロテクタシートと枝線に拘束テープを巻き付けた状態の斜視図、（ｂ）はプロテクタシートと幹線、及び、プロテクタシートと枝線に拘束テープを巻き付けた状態の正面図である。
【図６】本発明の第２実施形態を示し、展開状態のプロテクタシートの表面側からの斜視図である。
【図７】本発明の第２実施形態を示し、巻き付け状態のプロテクタシートの表面側からの斜視図である。
【図８】本発明の第３実施形態を示し、展開状態のプロテクタシートの表面側からの斜視図である。
【図９】本発明の第３実施形態を示し、巻き付け状態のプロテクタシートの表面側からの斜視図である。
【図１０】本発明の第４実施形態を示し、展開状態のプロテクタシートの表面側からの斜視図である。
【図１１】本発明の第４実施形態を示し、巻き付け状態のプロテクタシートの表面側からの斜視図である。
【図１２】本発明の第５実施形態を示し、展開状態のプロテクタシートの表面側からの斜視図である。
【図１３】本発明の第５実施形態を示し、巻き付け状態のプロテクタシートの表面側からの斜視図である。
【図１４】本発明の第６実施形態を示し、展開状態のプロテクタシートの表面側からの斜視図である。
【図１５】本発明の第６実施形態を示し、巻き付け状態のプロテクタシートの表面側からの斜視図である。
【図１６】本発明の第７実施形態を示し、展開状態のプロテクタシートの表面側からの斜視図である。
【図１７】本発明の第７実施形態を示し、巻き付け状態のプロテクタシートの表面側からの斜視図である。
【図１８】本発明の第８実施形態を示し、共に展開状態のプロテクタシートと補強プロテクタシートの斜視図である。
【図１９】本発明の第８実施形態を示し、（ａ）は電線分岐部にプロテクタシートを巻き付けた状態の斜視図、（ｂ）は電線分岐部にプロテクタシートを巻き付けた状態の正面図である。
【図２０】本発明の８実施形態を示し、（ａ）はプロテクタシートの上から補強プロテクタシートを巻き付けた状態の斜視図、（ｂ）はプロテクタシートの上から補強プロテクタシートを巻き付けた状態の正面図である。
【図２１】本発明の８実施形態を示し、（ａ）はプロテクタシート及び補強プロテクタシートと幹線、及び、プロテクタシート及び補強プロテクタシートと枝線に拘束テープを巻き付けた状態の斜視図、（ｂ）はプロテクタシート及び補強プロテクタシートと幹線、及び、プロテクタシート及び補強プロテクタシートと枝線に拘束テープを巻き付けた状態の正面図である。
【図２２】本発明の第９実施形態を示し、共に展開状態のプロテクタシートと補強プロテクタシートの斜視図である。
【図２３】本発明の第９実施形態を示し、巻き付け状態のプロテクタシートと、補強プロテクタシートの斜視図である。
【図２４】本発明の第９実施形態を示し、巻き付け状態のプロテクタシートの上から補強プロテクタシートを巻き付けた状態の斜視図である。
【図２５】本発明の第１０実施形態を示し、展開状態のプロテクタシートと、補強プロテクタプレートの斜視図である。
【図２６】本発明の第１０実施形態を示し、展開状態のプロテクタシート上に補強プロテクタプレートを置いた状態の斜視図である。
【図２７】本発明の第１０実施形態を示し、補強プロテクタプレートの上からプロテクタシートを巻き付けた状態の斜視図である。
【図２８】本発明の第１１実施形態を示し、展開状態のプロテクタシートと、補強プロテクタプレートの斜視図である。
【図２９】本発明の第１１実施形態を示し、展開状態のプロテクタシート上に補強プロテクタプレートを置いた状態の斜視図である。
【図３０】本発明の第１１実施形態を示し、補強プロテクタプレートの上からプロテクタシートを巻き付けた状態の斜視図である。
【図３１】本発明の第１２実施形態を示し、プロテクタプレートと展開状態の補強プロテクタシートの斜視図である。
【図３２】本発明の第１２実施形態を示し、プロテクタプレートの上から補強プロテクタシートを巻き付けた状態の斜視図である。
【図３３】従来例を示し、分岐プロテクタの分解斜視図である。
【図３４】従来例を示し、分岐プロテクタの組付け状態の斜視図である。
【発明を実施するための形態】
【００１２】
以下、本発明の実施形態を図面に基づいて説明する。
【００１３】
（第１実施形態）
図１〜図５は本発明の第１実施形態を示す。ワイヤーハーネスは、所定の配策経路に沿って配策され、電線分岐部ＷＤを有する電線（電線束）Ｗと、電線分岐部ＷＤを保護する分岐プロテクタ１Ａとを備えている。電線分岐部ＷＤは、図３に示すように、幹線Ｗ１より１本の枝線Ｗ２が分岐されている。つまり、電線分岐部ＷＤは、２本の幹線Ｗ１と１本の枝線Ｗ２が異なる方向に延びる３分岐である。この３分岐の電線分岐部ＷＤを保護する分岐プロテクタ１Ａについて説明する。
【００１４】
分岐プロテクタ１Ａ（図５に示す）は、電線分岐部ＷＤの外周に装着されるプロテクタシート２Ａと、プロテクタシート２Ａと、幹線Ｗ１及び枝線Ｗ２に巻き付ける拘束テープＴとを備えている。
【００１５】
プロテクタシート２Ａは、図１に示すように、電線分岐部ＷＤに装着する前では、フラットな形状の可撓性シートである。
【００１６】
プロテクタシート２Ａは、切欠部４によって間隔を置いて配置された一対の帯状シート部５と、２つの幹線Ｗ１用のテープ巻き用突出部６と、１つの枝線用のテープ巻き用突出部７とを備えている。
【００１７】
プロテクタシート２Ａは、幹線配策方向Ｍに沿って延びる部品載置部２ａを有する。部品載置部２ａは、平坦形状に形成されている。部品載置部２ａ以外のプロテクタシート２Ａは、幹線配策方向Ｍの直交方向Ｎ（巻き付け先端方向）に向かって凹凸を交互に繰り返す蛇腹形状に形成されている。
【００１８】
プロテクタシート２Ａは、枝線Ｗ２が引き出される箇所を除いて電線分岐部ＷＤの外周に巻き付けされている。一対の帯状シート部５は、枝線Ｗ２が引き出される箇所の両外側の幹線Ｗ１の箇所に巻き付けられている。各帯状シート部５の巻き付け先端は、プロテクタシート２Ａの外側に重ね巻きされている。プロテクタシート２Ａの幹線配策方向Ｍの両端には、プロテクタシート２Ａの巻き付け形状によって幹線引出口８が形成されている。各幹線引出口８より電線分岐部ＷＤの幹線Ｗ１がそれぞれ引き出されている。
【００１９】
プロテクタシート２Ａには、切欠部４によって枝線引出口９が形成されている。枝線引出口９より電線分岐部ＷＤの枝線Ｗ２が引き出されている。
【００２０】
プロテクタシート２Ａの部品載置部２ａの裏面側には、クリップ装着部２ｂが設けられている。クリップ装着部２ｂには、車体用固定部であるクリップ１０が取付けられている。
【００２１】
幹線Ｗ１用のテープ巻き用突出部６は、プロテクタシート２Ａの幹線配策方向Ｍの両端よりそれぞれ延設されている。幹線Ｗ１用の各テープ巻き用突出部６は、分岐プロテクタ１の装着状態では、幹線引出口８より引き出された幹線Ｗ１の配策方向にそれぞれ突出している。
【００２２】
枝線Ｗ２用のテープ巻き用突出部７は、プロテクタシート２Ａの部品載置部２ａの側端より幹線配策方向Ｍの直交方向Ｎに延設されている。枝線Ｗ２用のテープ巻き用突出部７は、切欠部４とは反対側に位置する。枝線Ｗ２用のテープ巻き用突出部７は、分岐プロテクタ１Ａの装着状態では、枝線引出口９より引き出された枝線Ｗ２の配策方向に突出している。
【００２３】
各テープ巻き用突出部６，７は、プロテクタシート２Ａに連続するシート形状である。各テープ巻き用突出部６，７は、突出方向に沿って交互に凹凸を繰り返す蛇腹形状に形成されている。
【００２４】
次に、分岐プロテクタ１Ａの組付け作業を説明する。図１に示すように、展開状態のプロテクタシート２Ａを組付作業位置（例えば治具台に立設された治具ピンで保持された位置）に配置する。次に、図２に示すように、プロテクタシート２Ａ上に電線分岐部ＷＤを載置する。詳細には、の部品載置部２ａ及び２つの幹線Ｗ１のテープ巻き用突出部６上に電線分岐部ＷＤの幹線Ｗ１を、枝線Ｗ２用のテープ巻き用突出部７上に電線分岐部ＷＤの枝線Ｗ２をそれぞれ載置する。
【００２５】
次に、図３に示すように、プロテクタシート２Ａを電線分岐部ＷＤの外周に隙間なく巻き付ける。プロテクタシート２Ａの一対の帯状シート部５は、その巻き付け先端側をプロテクタシート２Ａの外側に重ね巻きする。
【００２６】
次に、図４に示すように、プロテクタシート２Ａと各幹線Ｗ１、及び、プロテクタシート２Ａと枝線Ｗ２とに対し、拘束テープＴをそれぞれ隙間なく巻き付ける。
【００２７】
詳細には、各幹線Ｗ１については、プロテクタシート２Ａの切欠部４の両端位置を巻き付け始点として、各テープ巻き用突出部６を有しない範囲では、プロテクタシート２Ａ（各帯状シート部５の箇所）の外周を巻き付け、テープ巻き用突出部６を有する範囲では、テープ巻き用突出部６と幹線Ｗ１の外周に一括して巻き付け、テープ巻き用突出部６より先端側の箇所では、幹線Ｗ１の外周に隙間なく巻き付ける。これにより、各幹線引出口８は、拘束テープＴによって完全に遮蔽される。
【００２８】
枝線Ｗ２については、テープ巻き用突出部７の根元位置を巻き付け始点として、テープ巻き用突出部７を有する範囲では、テープ巻き用突出部７と枝線Ｗ２の外周に一括して巻き付け、テープ巻き用突出部７の先端から先の箇所では、枝線Ｗ２の外周に隙間なく巻き付ける。これで分岐プロテクタ１Ａの組付け作業が完了する。
【００２９】
この分岐プロテクタ１の組付け作業の前後、若しくは、並行して分岐プロテクタ１Ａ以外の幹線Ｗ１及び枝線Ｗ２への部品装着などが行うことによりワイヤーハーネスが組付けされる。
【００３０】
以上説明したように、分岐プロテクタ１Ａは、電線分岐部ＷＤの枝線Ｗ２が引き出される切欠部４を有し、且つ、電線分岐部ＷＤの幹線Ｗ１に巻き付けられ、両端より電線分岐部ＷＤの幹線Ｗ１が引き出される可撓性のプロテクタシート２Ａと、プロテクタシート２Ａの両端よりそれぞれ延設され、引き出された幹線Ｗ１の配策方向にそれぞれ突出するテープ巻き用突出部６とを備えている。
【００３１】
従って、電線分岐部ＷＤにプロテクタシート２Ａを巻き付けることで電線分岐部ＷＤを保護するため、電線分岐部ＷＤの大きさに関わらず電線分岐部ＷＤを保護でき、しかも、プロテクタシート２Ａが電線分岐部ＷＤの外面を覆うためにプロテクタシート２Ａ内に無駄なスペースが出来ない。以上より、電線分岐部ＷＤの大きさに関わらず電線分岐部ＷＤを保護でき、しかも、極力コンパクト化が図れる。
【００３２】
また、プロテクタシート２Ａは、幹線Ｗ１が引き出される箇所にテープ巻き用突出部６を有している。従って、幹線Ｗ１とテープ巻き用突出部６を一括して拘束テープＴで巻き付けることにより幹線Ｗ１と分岐プロテクタ１Ａを強固に固定できる。これにより、幹線Ｗ１に作用する引っ張り力によって、幹線Ｗ１より分岐プロテクタ１Ａが外れたり、又は、外れないまでも相対的な位置ずれが発生したりすることを確実に防止できる。
【００３３】
分岐プロテクタ１Ａは、プロテクタシート２Ａの両端の巻き付け形状によって形成され、幹線Ｗ１がそれぞれ引き出される２つの幹線引出口８と、プロテクタシート２Ａの切欠部４によって形成され、枝線Ｗ２が引き出される枝線引出口９とを備えている。
【００３４】
従って、プロテクタシート２Ａには、２つの幹線引出口８を形成するための切欠等の特異な形状を形成する必要がなく、シンプルなシート形状で分岐プロテクタ１Ａを得ることができる。
【００３５】
プロテクタシート２Ａは、切欠部４を間に挟んで一対の帯状シート部５を有し、電線分岐部ＷＤの枝線Ｗ２の両外側で幹線Ｗ１の全周に亘ってそれぞれ巻き付けられている。
【００３６】
従って、枝線Ｗ２が引き出される箇所を除く電線分岐部ＷＤの全ての箇所がプロテクタシート２Ａによって保護できる。
【００３７】
各帯状シート部５は、その巻き付け先端側がプロテクタシート２Ａに重ね巻きされている。従って、プロテクタシート２Ａを幹線Ｗ１の外周に単純に巻き付けるだけで幹線Ｗ１の全周を保護できる。重ね巻きによって、分岐プロテクタ１Ａの強度がアップし、保護機能が向上する。
【００３８】
プロテクタシート２Ａは、引き出された枝線Ｗ２の配策方向に突出するテープ巻き用突出部７を有している。従って、枝線Ｗ２とテープ巻き用突出部７を一括して拘束テープＴで巻き付けることにより枝線Ｗ２と分岐プロテクタ１Ａを強固に固定できる。これにより、枝線Ｗ２に作用する引っ張り力によって、枝線Ｗ２より分岐プロテクタ１が外れたり、又は、外れないまでも相対的な位置ずれが発生したりすることを確実に防止できる。
【００３９】
プロテクタシート２Ａは、部品載置部２ａを除いて蛇腹形状に形成されている。従って、プロテクタシート２Ａを幹線Ｗ１に容易に巻き付けできるため、巻き付け作業性が良い。
【００４０】
幹線Ｗ１及び枝線Ｗ２の各テープ巻き用突出部６，７は、シート状で、蛇腹形状に形成されている。従って、分岐プロテクタ１Ａより引き出された幹線Ｗ１及び枝線Ｗ２は、幹線Ｗ１及び枝線Ｗ２の配策方向の上下方向ＵＤに容易に撓み変形できるため、配策作業性が良い。又、配策方向の自由度も高い。
【００４１】
プロテクタシート２Ａには、クリップ１０が設けられている。従って、分岐プロテクタ１Ａをクリップ１０を用いて容易に車体に固定できる。
【００４２】
（第２実施形態）
図６及び図７は本発明の第２実施形態を示す。第２実施形態の分岐プロテクタでは、前記第１実施形態と比較するに、プロテクタシート２Ｂの切欠部４の位置と一対の帯状シート部５の位置が相違する。つまり、切欠部４は、部品載置部２ａの第１実施形態とは反対側に形成されており、第１実施形態とは反対側に一対の帯状シート部５が設けられている。これにより、枝線用のテープ巻き用突出部７は、一対の帯状シート部５と同様に部品載置部２ａから同じ方向に延設され、切欠部４を利用して配置されている。つまり、枝線用のテープ巻き用突出部７は、一対の帯状シート部５の間に位置する。
【００４３】
他の構成は、前記第１実施形態と同一であるため、図面の同一構成箇所には同一符号を付して説明を省略する。
【００４４】
この第２実施形態でも、前記第１実施形態と同様に、電線分岐部（図示せず）の大きさに関わらず電線分岐部を保護でき、しかも、極力コンパクト化が図れる。
【００４５】
また、プロテクタシート２Ｂに幹線（図示せず）が引き出される箇所にテープ巻き用突出部６を有するため、幹線とテープ巻き用突出部６を一括して拘束テープＴで巻き付けることにより幹線と分岐プロテクタを強固に固定できる。
【００４６】
枝線用のテープ巻き用突出部７は、一対の帯状シート部５と同様に部品載置部２ａから同じ方向に延設され、切欠部４を利用して配置されている。従って、第１実施形態に較べて、展開状態のプロテクタシート２Ｂの幹線配策方向Ｍの直交方向Ｎ（幅方向）の寸法が短くなる。
【００４７】
（第３実施形態）
図８及び図９は本発明の第３実施形態を示す。第３実施形態の分岐プロテクタは、前記第２実施形態と比較するに、プロテクタシート２Ｃの幹線（図示せず）用のテープ巻き用突出部７の構成が相違する。つまり、幹線用のテープ巻き用突出部６は、引き出された幹線の配策方向に沿って延びる直線突部６ａと、直線突部６ａの先端より直交方向に延びる一対の巻き付け突部６ｂとを有している。直線突部６ａは、部品載置部２ａに連続して平坦部位に形成されている。一対の巻き付け突部６ｂは、幹線配策方向Ｍの直交方向Ｎ（巻き付け先端方向）に沿って凹凸を交互に繰り返す蛇腹形状に形成されている。
【００４８】
他の構成は、前記第１実施形態と同一であるため、図面の同一構成箇所には同一符号を付して説明を省略する。
【００４９】
この第３実施形態でも、前記第１実施形態と同様に、電線分岐部（図示せず）の大きさに関わらず電線分岐部を保護でき、しかも、極力コンパクト化が図れる。
【００５０】
また、プロテクタシート２Ｃに幹線が引き出される箇所にテープ巻き用突出部６を有するため、幹線とテープ巻き用突出部６を一括して拘束テープ（図示せず）で巻き付けることにより幹線と分岐プロテクタを強固に固定できる。
【００５１】
特に、幹線のテープ巻き用突出部６は、幹線の外周の一部に当接する直線突部６ａと、幹線の外周に巻き付けされる一対の巻き付け突部６ｂとを有する。従って、幹線とテープ巻き用突出部６を一括して拘束テープで巻き付けることによる幹線と分岐プロテクタの固定が更に強固になる。
【００５２】
（第４実施形態）
図１０及び図１１は本発明の第４実施形態を示す。第４実施形態の分岐プロテクタは、４分岐の電線分岐部を保護する。つまり、幹線から互いに１８０度異なる向きに２つの枝線が分岐された電線分岐部を保護する。
【００５３】
分岐プロテクタは、電線分岐部に装着する前は、図１０に示すように、プロテクタシート２Ｄと、プロテクタシ―ト２Ｄより延設された４箇所のテープ巻き用突出部６，７とを備えた１枚の可撓性シートである。
【００５４】
プロテクタシート２Ｄは、切欠部４によって２つに分けられた一対の帯状シート部５を有する。プロテクタシート２Ｄは、平坦部である部品載置部２ａを有する。プロテクタシート２Ｄの部品載置部２ａの幹線配策方向Ｍの両端には、幹線（図示せず）用のテープ巻き用突出部６がそれぞれ延設されている。部品載置部２ａの幹線配策方向Ｍの直交方向Ｎの両側端には、枝線（図示せず）用のテープ巻き用突出部７がそれぞれ延設されている。
【００５５】
各テープ巻き用突出部６，７の構成は、前記第１実施形態と同じ構成である。
【００５６】
この第４実施形態でも、前記第１実施形態と同様に、電線分岐部（図示せず）の大きさに関わらず電線分岐部を保護でき、しかも、極力コンパクト化が図れる。
【００５７】
また、プロテクタシート２Ｄに幹線が引き出される箇所にテープ巻き用突出部６を有するため、幹線とテープ巻き用突出部６を一括して拘束テープ（図示せず）で巻き付けることにより幹線と分岐プロテクタを強固に固定できる。
【００５８】
（第５実施形態）
図１２及び図１３は本発明の第５実施形態を示す。第５実施形態の分岐プロテクタは、前記第１実施形態と比較するに、プロテクタシート２Ｅの枝線用のテープ巻き用突出部７の構成が相違する。つまり、枝線用のテープ巻き用突出部７は、可撓性のロッド７ａである。可撓性のロッド７ａには、間隔を置いて球状突部７ｂが突設されている。
【００５９】
他の構成は、前記第１実施形態と同一であるため、図面の同一構成箇所には同一符号を付して説明を省略する。
【００６０】
この第５実施形態でも、前記第１実施形態と同様に、電線分岐部（図示せず）の大きさに関わらず電線分岐部を保護でき、しかも、極力コンパクト化が図れる。
【００６１】
また、プロテクタシート２ｅは、幹線（図示せず）が引き出される箇所にテープ巻き用突出部６を有するため、幹線とテープ巻き用突出部６を一括して拘束テープ（図示せず）で巻き付けることにより幹線と分岐プロテクタを強固に固定できる。
【００６２】
枝線用のテープ巻き用突出部７は、可撓性のロッド７ａであるため、上下方向ＵＤのみならず左右方向ＬＲにも容易に撓み変形できる。従って、枝線引出口９より引き出された枝線の配策方向を３次元的に変移でき、前記第１〜第４実施形態に較べて、更に組付け作業性が良く、更に配策自由度も高い。
【００６３】
枝線用のテープ巻き用突出部７は、間隔を置いて球状突部７ｂが突設されている。従って、球状突部７ｂに食い込むようにして拘束テープ（図示せず）が巻き付けされるため、枝線と分岐プロテクタを強固に固定できる。
【００６４】
（第６実施形態）
図１４及び図１５は本発明の第６実施形態を示す。第６実施形態の分岐プロテクタは、前記第２実施形態と比較するに、プロテクタシート２Ｆの枝線（図示せず）のテープ巻き用突出部７の構成が相違する。つまり、枝線用のテープ巻き用突出部７は、前記第５実施形態と同様に、可撓性のロッド７ａである。可撓性のロッド７ａには、間隔を置いて球状突部７ｂが突設されている。
【００６５】
他の構成は、前記第２実施形態と同一であるため、図面の同一構成箇所には同一符号を付して説明を省略する。
【００６６】
この第６実施形態でも、前記第５実施形態と同様な作用・効果が得られる。
【００６７】
（第７実施形態）
図１６及び図１７は本発明の第７実施形態を示す。第７実施形態の分岐プロテクタは、前記第４実施形態と同様に４分岐の電線分岐部を保護するものである。分岐プロテクタは、前記第４実施形態と比較するに、プロテクタシート２Ｇの枝線（図示せず）用のテープ巻き用突出部７の構成が相違する。つまり、枝線用のテープ巻き用突出部７は、前記第５実施形態と同様に、可撓性のロッド７ａである。可撓性のロッド７ａには、間隔を置いて球状突部７ｂが突設されている。
【００６８】
他の構成は、前記第４実施形態と同一であるため、図面の同一構成箇所には同一符号を付して説明を省略する。
【００６９】
この第７実施形態でも、前記第５実施形態と同様な作用・効果が得られる。
【００７０】
（分岐プロテクタ部材が２部材の実施形態）
次に、本発明の第８実施形態〜第１２実施形態について説明する。第８実施形態〜第１２実施形態では、分岐プロテクタは、前記第１実施形態〜前記第７実施形態とは異なり、２つの分岐プロテクタ部材を有する。２つの分岐プロテクタ部材は、少なくとも１つは可撓性のプロテクタシートである。以下、各実施形態を説明する。
【００７１】
（第８実施形態）
図１８〜図２１は本発明の第８実施形態を示す。第８実施形態の分岐プロテクタ１Ｈは、プロテクタシート２Ａと補強プロテクタシート２１の２つの分岐プロテクタ部材を有する。
【００７２】
つまり、分岐プロテクタ１Ｈは、プロテクタシート２Ａと、補強プロテクタシート２１と、プロテクタシート２Ａ及び補強プロテクタシート２１と幹線Ｗ１、及び、プロテクタシート２Ａ及び補強プロテクタシート２１と枝線Ｗ２とをそれぞれ巻き付ける拘束テープＴとを備えている。
【００７３】
プロテクタシート２Ａは、前記第１実施形態と同一構成であるため、図面の同一構成箇所には同一符号を付して説明を省略する。
【００７４】
補強プロテクタシート２１は、図１８に示すように、電線分岐部ＷＤに装着する前では、フラットな形状の可撓性シートである。
【００７５】
補強プロテクタシート２１は、切欠部２４によって間隔を置いて配置された一対の帯状シート部２５と、２つの幹線用のテープ巻き用突出部２６とを備えている。
【００７６】
補強プロテクタシート２１には、幹線配策方向Ｍに沿って延びる剛性シート部２１ａが設けられている。剛性シート部２１ａは、平坦形状に形成されている。補強プロテクタシート２１の剛性シート部２１ａ及びテープ巻き用突出部２６以外の箇所は、幹線配策方向Ｍの直交方向Ｎ（巻き付け先端方向）に向かって凹凸を交互に繰り返す蛇腹形状に形成されている。
【００７７】
補強プロテクタシート２１は、プロテクタシート２Ａの外側より、枝線Ｗ２が引き出される箇所を除いて電線分岐部ＷＤの上面側の外周に巻き付けされている。
【００７８】
幹線Ｗ１用のテープ巻き用突出部２６は、補強プロテクタシート２１の幹線配策方向Ｍの両端よりそれぞれ延設されている。幹線Ｗ１用の各テープ巻き用突出部２６は、分岐プロテクタ１Ｈの装着状態では、幹線引出口８より引き出された幹線Ｗ１の配策方向にそれぞれ突出している。
【００７９】
幹線Ｗ１用の各テープ巻き用突出部２６は、補強プロテクタシート２１と同様にシート状である。各テープ巻き用突出部２６は、突出方向に沿って交互に凹凸を繰り返す蛇腹形状に形成されている。
【００８０】
次に、分岐プロテクタ１Ｈの組付け作業を説明する。図１８に示すように、展開状態のプロテクタシート２Ａを組付作業位置（例えば治具台の立設された治具ピン上）に配置する。次に、図１９に示すように、プロテクタシート２Ａの部品載置部２ａ及び２つの幹線Ｗ１用のテープ巻き用突出部６上に電線分岐部ＷＤの幹線Ｗ１を、枝線Ｗ２用のテープ巻き用突出部７上に電線分岐部ＷＤの枝線Ｗ２をそれぞれ載置する。
【００８１】
次に、図１９に示すように、プロテクタシート２Ａを電線分岐部ＷＤの外周に隙間なく巻き付ける。プロテクタシート２Ａの一対の帯状シート部５は、その巻き付け先端側がプロテクタシート２Ａの外側に重ね巻きする。
【００８２】
次に、図２０に示すように、電線分岐部ＷＤの上面側に、プロテクタシート２Ａの上から補強プロテクタシート２１を重ねるようにして巻き付ける。
【００８３】
次に、図２１に示すように、プロテクタシート２Ａ及び補強プロテクタシート２１と各幹線Ｗ１とを、及び、プロテクタシート２Ａ及び補強プロテクタシート２１と枝線Ｗ２とに対し、拘束テープＴを隙間なく巻き付ける。
【００８４】
詳細には、各幹線Ｗ１については、プロテクタシート２Ａ及び補強プロテクタシート２１の切欠部４，２４の両端位置を巻き付け始点として、各テープ巻き用突出部６，２６を有しない範囲では、プロテクタシート２Ａの外周に巻き付け、テープ巻き用突出部６，２６を有する範囲では、テープ巻き用突出部６，２６と幹線Ｗ１に一括して巻き付け、テープ巻き用突出部６，２６より先端側の箇所では、幹線Ｗ１の外周に隙間なく巻き付ける。これにより、各幹線引出口８は、拘束テープＴによって完全に遮蔽される。
【００８５】
枝線Ｗ２については、テープ巻き用突出部７の根元位置を巻き付け始点として、テープ巻き用突出部７を有する範囲では、テープ巻き用突出部７と枝線Ｗ２の外周に一括して巻き付け、テープ巻き用突出部７からの先端側の箇所では、枝線Ｗ２の外周に隙間なく巻き付ける。これで分岐プロテクタ１Ｈの組付け作業が完了する。
【００８６】
分岐プロテクタ１以外の幹線Ｗ１及び枝線Ｗ２への部品装着などが行うことによりワイヤーハーネスが組付けされる。
【００８７】
以上説明したように、分岐プロテクタ１Ｈは、電線分岐部ＷＤの枝線が引き出される切欠部４を有し、且つ、電線分岐部ＷＤの幹線Ｗ１に巻き付けられ、両端より電線分岐部ＷＤの幹線Ｗ１が引き出される可撓性のプロテクタシート２Ａと、プロテクタシート２Ａの両端よりそれぞれ延設され、引き出された幹線Ｗ１の配策方向にそれぞれ突出するテープ巻き用突出部６とを備えている。
【００８８】
従って、電線分岐部ＷＤにプロテクタシート２Ａを巻き付けることで電線分岐部ＷＤを保護するため、電線分岐部ＷＤの大きさに関わらず電線分岐部ＷＤを保護でき、しかも、プロテクタシート２Ａが電線分岐部ＷＤの外面を覆うためにプロテクタシート２Ａ内に無駄なスペースが出来ない。以上より、電線分岐部ＷＤの大きさに関わらず電線分岐部ＷＤを保護でき、しかも、極力コンパクト化が図れる。
【００８９】
また、プロテクタシート２Ａは、幹線Ｗ１が引き出される箇所にテープ巻き用突出部６を有する。従って、幹線Ｗ１とテープ巻き用突出部６を一括して拘束テープＴで巻き付けることにより幹線Ｗ１と分岐プロテクタ１Ｈを強固に固定できる。これにより、幹線Ｗ１に作用する引っ張り力によって、幹線Ｗ１より分岐プロテクタ１が外れたり、又は、外れないまでも相対的な位置ずれが発生したりすることを確実に防止できる。特に、補強プロテクタシート２１にも幹線Ｗ１のテープ巻き用突出部２６が設けられているため、第１実施形態〜第７実施形態よりも、幹線Ｗ１と分岐プロテクタ１Ｈを強固に固定できる。
【００９０】
分岐プロテクたタ１Ｈは、プロテクタシート２Ａの両端の巻き付け形状によって形成され、幹線Ｗ１がそれぞれ引き出される２つの幹線引出口８と、プロテクタシート２Ａの切欠部４によって形成され、枝線Ｗ２が引き出される枝線引出口９とを備えている。
【００９１】
従って、プロテクタシート２Ａには、２つの幹線引出口８，９を形成するための切欠等の特異な形状を形成する必要がなく、シンプルなシート形状である。又、補強プロテクタシート２１も同様な構成である。以上より、２枚のシンプルなシート形状で分岐プロテクタ１Ｈを得ることができる。
【００９２】
プロテクタシート２Ａは、切欠部４を間に挟んで一対の帯状シート部５を有し、プロテクタシート２Ａが、電線分岐部ＷＤの枝線の両外側で幹線Ｗ１の全周に亘ってそれぞれ巻き付けられている。従って、枝線Ｗ２が引き出される箇所を除く電線分岐部ＷＤの全ての箇所がプロテクタシート２Ａによって保護できる。又、補強プロテクタシート２１も、プロテクタシート２Ａの上から電線分岐部ＷＤに巻き付けされている。つまり、分岐プロテクタ１は、プロテクタシート２Ａと補強プロテクタシート２１の２枚のシートで電線分岐部ＷＤを保護するため、電線分岐部ＷＤを強固に保護できる。
【００９３】
各帯状シート部５は、その巻き付け先端側がプロテクタシート２Ａに重ね巻きされている。従って、プロテクタシート２Ａを幹線Ｗ１の外周に単純に巻き付けるだけで幹線Ｗ１の全周を保護できる。重ね巻きによって、分岐プロテクタ１Ｈの強度がアップし、保護機能が向上する。
【００９４】
プロテクタシート２Ａは、引き出された枝線Ｗ２の配策方向に突出するテープ巻き用突出部７を有している。従って、枝線Ｗ２とテープ巻き用突出部７を一括して拘束テープＴで巻き付けることにより枝線Ｗ２と分岐プロテクタ１Ｈを強固に固定できる。これにより、枝線Ｗ２に作用する引っ張り力によって、枝線Ｗ２より分岐プロテクタ１Ｈが外れたり、又は、外れないまでも相対的な位置ずれが発生したりすることを確実に防止できる。
【００９５】
プロテクタシート２Ａは、部品載置部２ａを除いて蛇腹形状に形成されている。従って、プロテクタシート２１Ａを幹線Ｗ１に容易に巻き付けできるため、巻き付け作業性が良い。補強プロテクタシート２１も、剛性部を除いて蛇腹形状に形成されている。従って、補強プロテクタシート２１を幹線Ｗ１に容易に巻き付けできるため、巻き付け作業性が良い。
【００９６】
幹線Ｗ１及び枝線Ｗ２の各テープ巻き用突出部６，７は、シート状で、突出方向に沿って交互に凹凸を繰り返す蛇腹形状に形成されている。従って、分岐プロテクタ１Ｈより引き出された幹線Ｗ１及び枝線Ｗ２は、幹線Ｗ１及び枝線Ｗ２の配策方向の上下方向ＵＤに容易に撓み変形できるため、配策作業性が良い。又、配策方向の自由度も高い。
【００９７】
プロテクタシート２Ａには、クリップ１０が設けられている。従って、分岐プロテクタ１Ｈをクリップ１０を用いて容易に車体に固定できる。
【００９８】
（第９実施形態）
図２２〜図２４は本発明の第９実施形態を示す。第９実施形態の分岐プロテクタは、前記第８実施形態と同様に、プロテクタシート２Ｂと補強プロテクタシート２１の２つの分岐プロテクタ部材を有する。
【００９９】
つまり、分岐プロテクタは、プロテクタシート２Ｂと、補強プロテクタシート２１と、プロテクタシート２Ｂ及び補強プロテクタシート２１と幹線（図示せず）、及び、プロテクタシート２Ｂ及び補強プロテクタシート２１と枝線（図示せず）とをそれぞれ巻き付ける拘束テープ（図示せず）とを備えている。
【０１００】
プロテクタシート２Ｂは、前記第２実施形態のものと同一構成であるため、図面の同一構成箇所には同一符号を付して説明を省略する。
【０１０１】
補強プロテクタシート２１は、前記第８実施形態のものと同一構成であるため、図面の同一構成箇所には同一符号を付して説明を省略する。
【０１０２】
分岐プロテクタの組付け作業は、前記第８実施形態のものと同様であるため、説明を省略する。分岐プロテクタの組付けに加えて、分岐プロテクタ以外の幹線及び枝線への部品装着などが行うことによりワイヤーハーネスが組付けされる。
【０１０３】
この第９実施形態でも、前記第８実施形態と同様に、電線分岐部ＷＤの大きさに関わらず電線分岐部ＷＤを保護でき、しかも、極力コンパクト化が図れる。
【０１０４】
また、プロテクタシート２Ｂと補強プロテクタシート２１の２枚のシートで電線分岐部ＷＤを保護するため、前記第８実施形態と同様に、電線分岐部ＷＤを強固に保護できる。
【０１０５】
第９実施形態の分岐プロテクタは、上記した以外にも前記第８実施形態と同様な効果を有する。
【０１０６】
（第１０実施形態）
図２５〜図２７は本発明の第１０実施形態を示す。第１０実施形態の分岐プロテクタは、前記第８及び第９実施形態とは異なり、プロテクタシート２Ａと補強プロテクタプレート２２の２つの分岐プロテクタ部材を有する。
【０１０７】
つまり、分岐プロテクタは、プロテクタシート２Ａと、補強プロテクタプレート２２と、プロテクタシート２Ａ及び補強プロテクタプレート２２と幹線（図示せず）、及び、プロテクタシート２Ａ及び補強プロテクタプレート２２と枝線（図示せず）とをそれぞれ巻き付ける拘束テープ（図示せず）とを備えている。
【０１０８】
プロテクタシート２Ａは、前記第１実施形態と同一構成であるため、図面の同一構成箇所には同一符号を付して説明を省略する。
【０１０９】
補強プロテクタプレート２２は、円弧形状を有し、円弧形状の形態を維持する剛性を有する。補強プロテクタプレート２２は、切欠部２７によって間隔を置いて配置された一対の帯状プレート部２８と、２つの幹線用のテープ巻き用突出部２６とを備えている。
【０１１０】
各テープ巻き用突出部２６は、突出方向に沿って交互に凹凸を繰り返す蛇腹形状に形成されている。従って、各テープ巻き用突出部２６のみは、撓み変形が容易に形成されている。各テープ巻き用突出部２６は、幹線の配策方向の上下方向ＵＤに容易に撓み変形できるため、配策作業性が良い。又、配策方向の自由度も高い。
【０１１１】
次に、分岐プロテクタの組付け作業を説明する。図２５に示すように、展開状態のプロテクタシート２Ａを組付作業位置に配置する。次に、プロテクタシート２Ａの部品載置部２ａ及び２つの幹線用テープ巻き用突出部６上に電線分岐部（図示せず）の幹線（図示せず）を、枝線用のテープ巻き用突出部７上に電線分岐部の枝線（図示せず）をそれぞれ載置する。
【０１１２】
次に、図２６に示すように、電線分岐部に補強プロテクタプレート２２を被せる。
【０１１３】
次に、図２７に示すように、電線分岐部に、補強プロテクタプレート２２の上からプロテクタシート２Ａを巻き付ける。プロテクタシート２Ａの一対の帯状シート部５は、その巻き付け先端側をプロテクタシート２Ａの外側に重ね巻きする。
【０１１４】
次に、前記第８実施形態と同様に、プロテクタシート２Ａ及び補強プロテクタプレート２２と各幹線とに対し、及び、プロテクタシート２Ａ及び補強プロテクタプレート２２と枝線とに対し、拘束テープを隙間なく巻き付ければ、完了する。
【０１１５】
分岐プロテクタ以外の幹線及び枝線への部品装着などが行うことによりワイヤーハーネスが組付けされる。
【０１１６】
この第１０実施形態でも、前記第８実施形態と同様に、電線分岐部の大きさに関わらず電線分岐部を保護でき、しかも、極力コンパクト化が図れる。
【０１１７】
第１０実施形態の分岐プロテクタは、上記した以外にも前記第８実施形態と同様な効果を有する。
【０１１８】
特に、第１０実施形態では、前記第８実施形態の補強プロテクタシート２１よりも剛性の高い補強プロテクタプレート２２を用いているため、電線分岐部を更に強固に保護できる。
【０１１９】
また、前記第８実施形態では、補強プロテクタシート２１を電線分岐部に巻き付ける必要があったが、第１０実施形態では、電線分岐部の上に補強プロテクタプレート２２を被せるたけで良いため、前記第８実施形態に較べて組付け作業性が向上する。
【０１２０】
（第１１実施形態）
図２８〜図３０は本発明の第１１実施形態を示す。第１１実施形態の分岐プロテクタは、前記第１０実施形態と同様に、プロテクタシート２Ｂと補強プロテクタプレート２２の２つの分岐プロテクタ部材を有する。
【０１２１】
プロテクタシート２Ｂは、前記第２実施形態のものと同一構成であるため、図面の同一構成箇所には同一符号を付して説明を省略する。
【０１２２】
補強プロテクタプレート２２は、前記第１０実施形態のものと同一構成であるため、図面の同一構成箇所には同一符号を付して説明を省略する。
【０１２３】
分岐プロテクタの組付け作業は、前記第１０実施形態のものと同様であるため、説明を省略する。分岐プロテクタの組付けに加えて、分岐プロテクタ以外の幹線及び枝線への部品装着などが行うことによりワイヤーハーネスが組付けされる。
【０１２４】
この第１１実施形態でも、前記第１０実施形態と同様に、電線分岐部の大きさに関わらず電線分岐部を保護でき、しかも、極力コンパクト化が図れる。
【０１２５】
第１１実施形態の分岐プロテクタは、上記した以外にも前記第１０実施形態と同様な効果を有する。
【０１２６】
（第１２実施形態）
図３１及び図３２は本発明の第１２実施形態を示す。第１２実施形態の分岐プロテクタは、プロテクタプレート２９と補強プロテクタシート２１の２つの分岐プロテクタ部材を有する。
【０１２７】
つまり、分岐プロテクタは、プロテクタプレート２９と補強プロテクタシート２１と、プロテクタプレート２９及び補強プロテクタシート２１と幹線（図示せず）、及び、プロテクタプレート２９及び補強プロテクタシート２１と枝線（図示せず）とをそれぞれ巻き付ける拘束テープ（図示せず）とを備えている。
【０１２８】
プロテクタプレート２９は、外力が作用しても自らの形態を維持する程度の剛性を有する。プロテクタプレート２９は、概略円弧状を有し、前記第１０及び前記第１１実施形態の補強プロテクタプレートの構成と基本的に同じ構成である。つまり、プロテクタプレート２９は、切欠部２７によって間隔を置いて配置された一対の帯状プレート部２８と、２つの幹線用のテープ巻き用突出部２６とを備えている。プロテクタプレート２９の裏面側には、クリップ装着部２９ａが設けられている。クリップ装着部２９ａには、車体用固定部であるクリップ１０が取付られている。
【０１２９】
補強プロテクタシート２１は、前記第８実施形態のものと同一構成であるため、図面の同一構成箇所には同一符号を付して説明を省略する。
【０１３０】
次に、分岐プロテクタの組付け作業を説明する。図３１に示すように、プロテクタプレート２９を組付作業位置に配置する。次に、プロテクタプレート２９の底面及び２つの幹線のテープ巻き用突出部６上に電線分岐部（図示せず）の幹線（図示せず）を、プロテクタプレート２９の切欠部２７を通すように電線分岐部（図示せず）の枝線（図示せず）をそれぞれ載置する。
【０１３１】
次に、図３２に示すように、補強プロテクタシート２１を、プロテクタプレート２９の上面開口側より露出された電線分岐部については、直接に包み込み、且つ、電線分岐部（図示せず）がプロテクタプレート２９で覆われている箇所については、プロテクタプレート２９の外側より隙間なく巻き付ける。。
【０１３２】
次に、プロテクタプレート２９及び補強プロテクタシート２１と各幹線（図示せず）とに対し、拘束テープ（図示せず）を隙間なく巻き付ければ、完了する。
【０１３３】
分岐プロテクタ以外の幹線及び枝線への部品装着などが行うことによりワイヤーハーネスが組付けされる。
【０１３４】
この第１２実施形態でも、前記第１０実施形態及び前記第１１実施形態と同様に、電線分岐部の大きさに関わらず電線分岐部を保護でき、しかも、極力コンパクト化が図れる。
【０１３５】
第１２実施形態の分岐プロテクタは、上記した以外にも前記第１０実施形態及び前記第１１実施形態と同様な効果を有する。
【０１３６】
第１２実施形態では、プロテクタプレート２９及び補強プロテクタシート２１には、共に枝線（図示せず）のテープ巻き用突出部が設けられていないが、プロテクタプレート２９と補強プロテクタシート２１の双方、若しくは、いずれか一方に設けても良い。
【０１３７】
（変形例）
前記各実施形態では、電線Ｗの外周に直接拘束テープＴを巻き付けたが、電線Ｗにコルゲートチューブが装着されている場合には、コルゲートチューブの上から拘束テープＴを巻き付ける。
【０１３８】
前記各実施形態では、幹線引出口８や枝線引出口９より１本の幹線（電線束）Ｗ１や１本の枝線（電線束）Ｗ２を引き出しているが、複数本の幹線（電線束）Ｗ１や複数本の枝線（電線束）Ｗ２を引き出しても良い。ここで、１本の幹線（電線束）Ｗ１や１本の枝線（電線束）Ｗ２とは、同じ配策経路に沿って配策されるものをいう。
【０１３９】
前記各実施形態では、プロテクタシート２Ａ〜２Ｅの部品載置部２ａは、平板部に形成されているが、蛇腹形状に形成しても良い。
【０１４０】
前記各実施形態では、切欠部４は１つ設けられているが、複数の切欠部４を設けても良い。各切欠部４，２４，２７より枝線（電線束）Ｗ２を引き出すようにしても良い。
【符号の説明】
【０１４１】
ＷＤ  電線分岐部
ｗ１  幹線
ｗ２  枝線
Ｔ  拘束テープ
１Ａ,１Ｈ  分岐プロテクタ
２Ａ〜２Ｇ  プロテクタシート
４，２４，２７  切欠部
５，２５  帯状シート部
６，２６  幹線用のテープ巻き用突出部
７  枝線用のテープ巻き用突出部
７ａ  可撓性のロッド部
８  幹線引出口
９  枝線引出口
１０  クリップ（車体用固定部）
２１,２２  補強プロテクタシート（補強プロテクタ部材）
２９  補強プロテクタプレート（補強プロテクタ部材）
Ｍ  幹線配策方向
Ｎ  幹線配策方向の直交方向
【図１】
2019017198.tif 000003
【図２】
2019017198.tif 000004
【図３】
2019017198.tif 000005
【図４】
2019017198.tif 000006
【図５】
2019017198.tif 000007
【図６】
2019017198.tif 000008
【図７】
2019017198.tif 000009
【図８】
2019017198.tif 000010
【図９】
2019017198.tif 000011
【図１０】
2019017198.tif 000012
【図１１】
2019017198.tif 000013
【図１２】
2019017198.tif 000014
【図１３】
2019017198.tif 000015
【図１４】
2019017198.tif 000016
【図１５】
2019017198.tif 000017
【図１６】
2019017198.tif 000018
【図１７】
2019017198.tif 000019
【図１８】
2019017198.tif 000020
【図１９】
2019017198.tif 000021
【図２０】
2019017198.tif 000022
【図２１】
2019017198.tif 000023
【図２２】
2019017198.tif 000024
【図２３】
2019017198.tif 000025
【図２４】
2019017198.tif 000026
【図２５】
2019017198.tif 000027
【図２６】
2019017198.tif 000028
【図２７】
2019017198.tif 000029
【図２８】
2019017198.tif 000030
【図２９】
2019017198.tif 000031
【図３０】
2019017198.tif 000032
【図３１】
2019017198.tif 000033
【図３２】
2019017198.tif 000034
【図３３】
2019017198.tif 000035
【図３４】
2019017198.tif 000036